(57)【特許請求の範囲】
【請求項１】
行列配置された複数の画素のうち、走査信号回路から出力された走査信号によって選択した行を構成する複数の画素のうち、１つおきの画素に上部映像信号を印加し、残りの画素に下部映像信号を印加することにより所定の映像を表示する液晶表示装置の駆動方法であって、
上部映像信号および下部映像信号の極性が１垂直周期ごとに逆極性になるばあいと、同極性になるばあいとが時間的に切替わる液晶表示装置の駆動方法。 
【請求項２】
前記１つおきの画素が奇数番目の画素であり、前記残りの画素が偶数番目の画素である請求項１記載の液晶表示装置の駆動方法。
【請求項３】
行列配置された複数の画素のうち、走査信号回路から出力された走査信号によって選択した行を構成する複数の画素のうち、１つおきの画素に上部映像信号を印加し、残りの画素に下部映像信号を印加することにより所定の映像を表示する液晶表示装置の駆動方法であって、
各フレームにおいて１つ目の行を選択するに際し、上部映像信号および下部映像信号の極性を２フレームごとに切替え、かつ、上部映像信号の極性を切替えるタイミングを下部映像信号の極性を切替えるタイミングに対して１フレーム分ずらす液晶表示装置の駆動方法。 
【請求項４】
前記１つおきの画素が奇数番目の画素であり、前記残りの画素が偶数番目の画素である請求項３記載の液晶表示装置の駆動方法。
【請求項５】
少なくとも上部映像信号を出力する上部液晶駆動回路、下部映像信号を出力する下部液晶駆動回路、走査信号回路、タイミング制御回路および垂直同期信号変換回路を含み、該垂直同期信号変換回路が第１極性反転信号切替えタイミング信号と第２極性反転信号切替えタイミング信号とを出力し、
行列配置された複数の画素のうち、走査信号回路から出力された走査信号によって選択した行を構成する複数の画素のうち、１つおきの画素に上部映像信号を印加し、残りの画素に下部映像信号を印加することにより所定の映像を表示する液晶表示装置の駆動回路であって、ｎフレームのとき、前記上部液晶駆動回路に入力される第１極性反転信号の極性が、前記下部液晶駆動回路に入力される第２極性反転信号の極性に対して逆極性とされ、ｎ＋１フレームのとき、前記上部液晶駆動回路に入力される第１極性反転信号の極性が、前記下部液晶駆動回路に入力される第２極性反転信号の極性に対して同極性とされるように前記垂直同期信号変換回路によって前記第１極性反転信号切替えタイミング信号と第２極性反転信号切替えタイミング信号とが出力される液晶表示装置の駆動回路。
【請求項６】
前記垂直同期信号変換回路が、微分回路、複数のフリップフロップおよび複数のＮＯＴゲートからなる請求項５記載の液晶表示装置の駆動回路。
【発明の詳細な説明】
【０００１】
【発明の属する技術分野】
本発明は、大画面で、高解像度のカラー液晶表示パネルを含む液晶表示装置の駆動方法およびその駆動回路に関する。
【０００２】
【従来の技術】
一般に、液晶表示装置は、液晶表示パネルと、該液晶表示パネルに走査信号を供給する走査信号回路と、前記液晶表示パネルに映像信号を供給する液晶駆動回路とを含んでなる。
【０００３】
前記液晶表示パネルは、走査信号線と、該走査信号線と直交し、液晶駆動回路に接続された映像信号線とを含んでなる。該走査信号線は互いに平行に配置され、かつ走査信号回路に接続されている。
【０００４】
さらに、液晶表示パネルは、走査信号線と映像信号線とを境界線として行列配置された画素を含んでなる。前記走査信号線および映像信号線の各交差部にはアクティブ素子としてのＴＦＴ（Thin Film Transistor）が設けられる。
【０００５】
液晶表示装置は、（１）液晶駆動回路から出力した複数の映像信号を各映像信号線に与え、（２）走査信号回路から出力した走査信号によって特定の走査信号線を選択し、（３）選択された走査信号線に接続されたＴＦＴのみをオン状態にし、（４）該オン状態のＴＦＴを含む画素のみにそれぞれ所定の映像信号を印加し、（５）印加した所定の映像信号の電位差によって各画素の液晶の光の透過率を制御することにより所定の映像を表示する。
【０００６】
一般に、大画面で、高解像度のカラー液晶表示パネルを含む液晶表示装置では、液晶駆動回路に入力される信号である映像データの伝送周波数を、液晶駆動回路が動作可能な範囲で最も高い周波数（以下、「最高動作周波数」ともいう）以下に抑えるために、たとえば液晶表示パネルの上下にそれぞれ液晶駆動回路を設けることがある。
【０００７】
以上のような従来の液晶表示装置において、解像度を高めるために画素数を増やすと、ＴＦＴが映像信号を充電する時間が短く制限されるという問題がある。また、画面をより大きく（大画面化）すると、映像信号線および走査信号線などの配線が長くなって配線の負荷が大きくなる。そのため、映像信号および走査信号の波形が歪んだり、映像信号が映像信号線を伝搬する速度や走査信号が走査信号線を伝搬する速度が遅くなったりするという問題も生じる。したがって、前後の走査信号や映像信号が影響しあうことにより、画素に印加されるときの映像信号が、所望の値と異なってしまう。
【０００８】
このように画素数を増やすと同時に大画面化すると、パターンの周囲の画素の明るさが変化するクロストークや、前記パターンの周囲の画素の明るさが随時変動するフリッカなどの表示不良が発生し、表示品質が著しく低下する。
【０００９】
表示品質の低下を防ぐことを考慮した液晶表示装置の駆動方法としては、交流駆動方法がある。該交流駆動方法とは、所定の周期で映像信号の極性を反転させながら（切替えながら）液晶表示装置を駆動する方法である。なお、本明細書において、信号の極性とは、該信号の電圧値の極性をいう。
【００１０】
交流駆動方法を採用するばあい、映像駆動回路の奇数番目の端子からの出力（以下、単に「奇数出力」ともいう）の極性は、映像駆動回路の偶数番目の端子からの出力（以下、単に「偶数出力」ともいう）の極性と異なる。奇数出力の極性を偶数出力の極性と異ならせるためには、任意に極性を反転しうる極性反転信号を出力する駆動回路（以下、「極性反転駆動回路」という）を、たとえばタイミング制御回路に設ける。
【００１１】
図１２は、従来の液晶駆動回路の一例を示す説明図である。図１２において、１は液晶駆動回路、１０１〜１０６は液晶駆動回路１の出力端子を示す。なお、図１２には、液晶駆動回路１の出力端子が６本のみ示されている。１０１、１０３および１０５で示される１番目の出力端子、３番目の出力端子および２ｍ＋１番目の出力端子が、奇数出力を出力する奇数出力端子である。さらに、１０２、１０４および１０６で示される２番目の出力端子、４番目の出力端子および２ｍ＋２番目の出力端子が、偶数出力を出力する偶数出力端子である。なお、ｍは０または自然数である。
【００１２】
図１３は、極性反転信号、ならびに図１２に示される液晶駆動回路から出力される奇数出力および偶数出力の極性の一例を示す説明図である。図１３には、上から、極性反転信号、奇数出力の極性および偶数出力の極性が示されている。図１３において、横方向は時間を示し、極性反転信号のみについて縦方向は電圧値を示す。
【００１３】
図１３においては、極性反転信号がハイ（high）レベルのとき奇数出力の極性は正、偶数出力の極性は正であり、極性反転信号がロー（low）レベルのとき奇数出力の極性は負、偶数出力の極性は負である。
【００１４】
図１４および図１５は従来の液晶表示パネルの画素に関する配線の概念の一例を示す説明図である。図１４（ａ）はｎフレーム（ｎは０または自然数である）での液晶表示装置を示す説明図であり、図１４（ｂ）はｎ＋１フレームでの液晶表示装置を示す説明図である。図１５（ａ）はｎ＋２フレームでの液晶表示装置を示す説明図であり、図１５（ｂ）はｎ＋３フレームでの液晶表示装置を示す説明図である。
【００１５】
図１４および図１５において、１ａは、液晶表示パネルの上側に設けられた上部液晶駆動回路、１ｂは、液晶表示パネルの下側に設けられた下部液晶駆動回路、２は走査信号回路、４は、上部液晶駆動回路１ａ、下部液晶駆動回路１ｂおよび走査信号回路２から出力する信号の電圧値を所定の値に変化させるタイミングを制御するタイミング制御回路を示す。さらに、１１ａは、上部液晶駆動回路１ａの出力端子に接続された上部映像信号線、１１ｂは、下部液晶駆動回路１ｂの出力端子に接続された下部映像信号線、１２は、走査信号回路２の出力端子に接続された走査信号線を示す。また、白丸中に示される＋または−の記号は、画素に印加する映像信号の極性、すなわち正または負を模式的に示したものである。さらに、「Ｒ」が付された上部映像信号線１１ａおよび下部映像信号線１１ｂは赤色用の画素にかかわる信号線であり、「Ｇ」が付された上部映像信号線１１ａおよび下部映像信号線１１ｂは緑色用の画素にかかわる信号線であり、「Ｂ」が付された上部映像信号線１１ａおよび下部映像信号線１１ｂは青色用の画素にかかわる信号線である。
【００１６】
液晶表示装置は、液晶表示パネルと、上部液晶駆動回路１ａと、下部液晶駆動回路１ｂと、走査信号回路２と、上部液晶駆動回路１ａ、下部液晶駆動回路１ｂおよび走査信号回路２から出力する信号の電圧値を所定の値に変化させるタイミングを制御するタイミング制御回路４とを含んでなる。前記液晶表示パネルは、上部映像信号線１１ａ、下部映像信号線１１ｂおよび走査信号線１２と、該上部映像信号線１１ａ、下部映像信号線１１ｂおよび走査信号線１２を境界線として行列配置された画素と、前記上部映像信号線１１ａおよび走査信号線１２の各交差点ならびに下部映像信号線１１ｂおよび走査信号線１２の各交差点に設けられたＴＦＴ（図示せず）とを含んでなる。
【００１７】
図１６および図１７は、図１４および図１５に示される液晶表示装置を駆動するために用いられる信号を示すタイミングチャート（timing chart）である。図１６および図１７において、横方向は時間を示し、縦方向は電圧値を示す。
【００１８】
図１６（ａ）には、上から、第１極性反転信号切替えタイミング信号と第２極性反転信号切替えタイミング信号とが示される。各信号はたとえばｎフレーム、ｎ＋１フレーム‥‥‥のように続いていて、ａはｎフレームに切り替わった時、ｂはｎ＋１フレームに切り替わった時、ｃはｎ＋２フレームに切り替わった時、ｄはｎ＋３フレームに切り替わった時を示す。
【００１９】
図１６（ｂ）には、上から、ｎフレームでの第１極性反転信号と第２極性反転信号とが示される。図１６（ｃ）には、上から、ｎ＋１フレームでの第１極性反転信号と第２極性反転信号とが示される。図１７（ａ）には、上から、ｎ＋２フレームでの第１極性反転信号と第２極性反転信号とが示される。図１７（ｂ）には、上から、ｎ＋３フレームでの第１極性反転信号と第２極性反転信号とが示されている。ａ1 、ｂ1 、ｃ1 およびｄ1 は１フレーム内で１本目の走査信号線が選択された時（すなわち、各フレームにおいて１つ目の行を選択する時）を示す。ａ2 、ｂ2 、ｃ2 およびｄ2 は１フレーム内で２本目の走査信号線が選択された時を示す。ａ3 、ｂ3 、ｃ3 およびｄ3 は１フレーム内で３本目の走査信号線が選択された時を示す。ａ4 、ｂ4 、ｃ4 およびｄ4 は１フレーム内で４本目の走査信号線が選択された時を示す。ａ5 、ｂ5 、ｃ5 およびｄ5 は１フレーム内で５本目の走査信号線が選択された時を示す。
【００２０】
なお、第１極性反転信号とは上部映像信号線を介して画素に印加される映像信号（以下、「上部映像信号」という）の極性を制御するための信号である。一方、第２極性反転信号とは下部映像信号線を介して画素に印加される映像信号（以下、「下部映像信号」という）の極性を制御するための信号である。さらに、第１極性反転信号切替えタイミング信号とはａ1 、ｂ1 、ｃ1 またはｄ1 での第１極性反転信号の極性を制御する信号であり、第２極性反転信号切替えタイミング信号とはａ1 、ｂ1 、ｃ1 またはｄ1 での第２極性反転信号の極性を制御する信号である。前記第１極性反転信号および第２極性反転信号の極性は、１フレーム内で所定のパターンで変化する。たとえば、図１６（ｂ）、図１６（ｃ）、図１７（ａ）および図１７（ｂ）では、各フレーム内で、１、３、４、５本目の走査信号線が選択されるときに極性を反転する。なお、極性がハイレベルからローレベルに反転するのか、それともローレベルからハイレベルに反転するのかは、ａ1 、ｂ1 、ｃ1 およびｄ1 での第１極性反転信号および第２極性反転信号の極性による。
【００２１】
なお、上部液晶駆動回路１ａの出力端子は左側から数えて奇数番目の映像信号線（以下、「上部映像信号線」という）１１ａに接続される。また、下部液晶駆動回路１ｂの出力端子は左側から数えて偶数番目の映像信号線（以下、「下部映像信号線」という）１１ｂに接続される（図１４および図１５参照）。
【００２２】
従来の液晶表示装置の駆動方法では、各画素の液晶に常に同じ極性の映像信号が印加されないように、フレームごとに１番目の走査信号線を選択するときの第１極性反転信号および第２極性反転信号の極性を反転させている（図１６（ａ）参照）。
【００２３】
【発明が解決しようとする課題】
従来の液晶表示装置の駆動方法では、第１極性反転信号切替えタイミング信号および第２極性反転信号切替えタイミング信号により、１フレームごとに１番目の走査信号線を選択するときの第１極性反転信号および第２極性反転信号の極性を反転させている。しかし、同じ極性の映像信号が印加される画素ごとにグループ分けをしたばあい、フレームが変わっても各グループを構成する画素が変化しない。したがって、隣り合うグループ間に横方向（走査信号線および映像信号線を含む面に対して平行な方向）の電界が発生する。横方向の電界が発生した箇所では所定の映像がえられず、表示品質が低下する。フレームごとに横方向の電界の発生を間引きすれば視認されないが、本従来例のようにフレーム間で常に同じ箇所で横方向の電圧が発生するばあいは視認される可能性が高い。
【００２４】
本発明はかかる問題を解決するためになされたものであり、大画面で、高解像度のカラー液晶表示パネルを含む液晶表示装置の表示品質を向上できる液晶表示装置の駆動方法を提供することを目的とする。
【００２５】
【課題を解決するための手段】
本発明の請求項１記載の液晶表示装置の駆動方法は、行列配置された複数の画素のうち、走査信号回路から出力された走査信号によって選択した行を構成する複数の画素のうち、１つおきの画素に上部映像信号を印加し、残りの画素に下部映像信号を印加することにより所定の映像を表示する液晶表示装置の駆動方法であって、上部映像信号および下部映像信号の極性が１垂直周期ごとに逆極性になるばあいと、同極性になるばあいとが時間的に切替わるものである。
【００２７】
さらに、本発明の請求項２記載の液晶表示装置の駆動方法は、前記１つおきの画素が奇数番目の画素であり、前記残りの画素が偶数番目の画素である。
【００２８】
本発明の請求項３記載の液晶表示装置の駆動方法は、行列配置された複数の画素のうち、走査信号回路から出力された走査信号によって選択した行を構成する複数の画素のうち、１つおきの画素に上部映像信号を印加し、残りの画素に下部映像信号を印加することにより所定の映像を表示する液晶表示装置の駆動方法であって、各フレームにおいて１つ目の行を選択するに際し、上部映像信号および下部映像信号の極性を２フレームごとに切替え、かつ、上部映像信号の極性を切替えるタイミングを下部映像信号の極性を切替えるタイミングに対して１フレーム分ずらすものである。
【００３０】
さらに、本発明の請求項４記載の液晶表示装置の駆動方法は、前記１つおきの画素が奇数番目の画素であり、前記残りの画素が偶数番目の画素である。
【００３１】
本発明の請求項５記載の液晶表示装置の駆動回路は、少なくとも上部映像信号を出力する上部液晶駆動回路、下部映像信号を出力する下部液晶駆動回路、走査信号回路、タイミング制御回路および垂直同期信号変換回路を含み、該垂直同期信号変換回路が第１極性反転信号切替えタイミング信号と第２極性反転信号切替えタイミング信号とを出力し、行列配置された複数の画素のうち、走査信号回路から出力された走査信号によって選択した行を構成する複数の画素のうち、１つおきの画素に上部映像信号を印加し、残りの画素に下部映像信号を印加することにより所定の映像を表示する液晶表示装置の駆動回路であって、ｎフレームのとき、前記上部液晶駆動回路に入力される第１極性反転信号の極性が、前記下部液晶駆動回路に入力される第２極性反転信号の極性に対して逆極性とされ、ｎ＋１フレームのとき、前記上部液晶駆動回路に入力される第１極性反転信号の極性が、前記下部液晶駆動回路に入力される第２極性反転信号の極性に対して同極性とされるように前記垂直同期信号変換回路によって前記第１極性反転信号切替えタイミング信号と第２極性反転信号切替えタイミング信号とが出力されるものである。
【００３２】
また、本発明の請求項６記載の液晶表示装置の駆動回路は、前記垂直同期信号変換回路が、微分回路、複数のフリップフロップ（flip-flop）および複数のＮ ＯＴゲート（gate）からなるものである。
【００３３】
【発明の実施の形態】
つぎに、本発明の液晶表示装置の駆動方法の実施の形態について説明する。
【００３４】
実施の形態１．
図面を参照しつつ、本発明の液晶表示装置の駆動方法の実施の形態１について説明する。
【００３５】
本実施の形態では、各フレームにおいて、上部映像信号および下部映像信号の極性が１垂直周期ごとに反転するばあいと、同極性を保つばあいとが混在している。また、走査信号によって選択した行を構成する複数の画素のうち、１つおきの画素に上部映像信号を印加し、残りの画素に下部映像信号を印加してもよい。さらに、前記１つおきの画素が奇数番目の画素であり、前記残りの画素が偶数番目の画素であってもよい。
【００３６】
図１は、本発明の液晶表示装置の駆動方法を用いて駆動される液晶表示パネルの画素に関する配線の概念の一例を示す説明図である。図１において、５は垂直同期信号変換回路であり、その他、図１４と同一の箇所は同じ符号を用いて示す。本発明の液晶表示装置の駆動方法にかかわる第１極性反転信号および第２極性反転信号を出力するため、垂直同期信号から第１極性反転信号切替えタイミング信号を出力する垂直同期信号変換回路をタイミング制御回路の次段に設けた。実施の形態１にかかわる垂直同期信号変換回路５は、後述するように、各フレームにおいて、上部映像信号および下部映像信号の極性が１垂直周期ごとに反転するばあいと、同極性を保つばあいとが混在させることができる構成とした。この他、図１に示される液晶表示装置の構成要素は従来の液晶表示装置の構成要素と同一である。
【００３７】
図１に示されるように、上部映像信号線１１ａによって左側から数えて奇数番目の画素に映像信号を印加し、下部映像信号線１１ｂによって左側から数えて偶数番目の画素に映像信号を印加する。ただし、これは一例であり、たとえば上部映像信号線１１ａによって偶数番目の画素に映像信号を印加し、下部映像信号線１１ｂによって奇数番目の画素に映像信号を印加してもよい。
【００３８】
図２は、本発明の液晶表示装置の駆動方法の実施の形態１を用いて駆動される液晶表示パネルの画素に関する配線の概念の一例を示す説明図である。図２に示される液晶表示装置の構成要素は従来の液晶表示装置の構成要素と同一であり、図２において、図１４と同一の箇所は同じ符号を用いて示す。図２（ａ）はｎフレームでの液晶表示装置を示す説明図であり、図２（ｂ）はｎ＋１フレームでの液晶表示装置を示す説明図である。
【００３９】
図３は、図２に示される液晶表示装置を駆動するために用いられる信号を示すタイミングチャートである。図３において、図１６と同一の箇所は同じ符号を用いて示す。図３（ａ）には、上から、第１極性反転信号切替えタイミング信号と第２極性反転信号切替えタイミング信号とが示される。図３（ｂ）には、上から、ｎフレームでの第１極性反転信号と第２極性反転信号とが示される。図３（ｃ）には、上から、ｎ＋１フレームでの第１極性反転信号と第２極性反転信号とが示される。
【００４０】
ｎフレームのとき、上部液晶駆動回路に入力される第１極性反転信号の極性は、下部液晶駆動回路に入力される第２極性反転信号の極性に対して逆極性になっている（図３（ｂ）参照）。したがって、走査信号線１２に対して平行な方向において隣合う画素間で、画素に印加される映像信号（上部映像信号または下部映像信号）の極性が同じになるのは、１列目の画素と２列目の画素、および３列目の画素と４列目の画素である（図２（ａ）参照）。すなわち、上部映像信号および下部映像信号の極性が１垂直周期のあいだ同極性を保っており、２ｐ＋１列目の画素と２ｐ＋２列目の画素とが同極性になる。なお、前記１垂直周期とは１列分の画素を走査する期間をいい、たとえば１列目と２列目の画素のことをいう。また、ｐは０または自然数である。
【００４１】
さらに、ｎ＋１フレームのとき、上部液晶駆動回路に入力される第１極性反転信号の極性は、下部液晶駆動回路に入力される第２極性反転信号の極性に対して同極性になっている（図３（ｃ）参照）。したがって、走査信号線１２に対して平行な方向において隣合う画素間で、画素に印加される映像信号（上部映像信号または下部映像信号）の極性が同じになるのは、２列目の画素と３列目の画素、および４列目の画素と５列目の画素である（図２（ｂ）参照）。すなわち、上部映像信号および下部映像信号の極性が１垂直周期ごとに反転し、２ｐ＋２列目の画素と２ｐ＋３列目の画素とが同極性になり、ｎフレームのときと異なる。
【００４２】
したがって、同じ極性の映像信号が印加される画素ごとにグループ分けを行い奇数フレームと偶数フレームとを比較すると、フレームによってグループを構成する画素が変化する。フレームが変わると各グループを構成する画素が変化する。その結果、時間的に、かつ、空間的に横方向の電界の平均化を行うことができ、横方向の電界による表示不良が視認されなくなり、表示品質を向上させることができる。このような第１極性反転信号および第２極性反転信号を出力するための垂直同期信号変換回路５について説明する。図４は、垂直同期信号変換回路の詳細な構成を示すブロック説明図であり、図５（ａ）〜（ｆ）は出力波形を示した説明図である。図４において，２１は微分回路であり、２２ａはフリップフロップであり、２３ａはＮＯＴ回路であり、２４ａはＯＲ回路である。微分回路２１に入力される垂直同期信号Ｓ1は図５の（ａ）に示されており、垂直同期信号Ｓ1は微分回路２１を経て図５の（ａ）にＶＤで示す１垂直周期のタイミング信号Ｓ2となる。つぎにこのタイミング信号Ｓ2はフリップフロップ２２ａを経て、図５の（ｃ）に示す波形の信号Ｓ3となったのち、第１極性反転信号ラインと第２極性反転信号ラインとに分けられ、ＯＲ回路２４ａを経て第１極性反転信号切替えタイミング信号Ｓ5（図５の（ｅ））がえられ、またＮＯＴ回路２３ａを経て第２極性反転信号切替えタイミング信号Ｓ6（図５の（ｆ））がえられる。
【００４３】
実施の形態２．
つぎに、本発明の液晶表示装置の駆動方法の実施の形態２について図面を参照しつつ説明する。
【００４４】
本実施の形態では、各フレームにおいて１つ目の行を選択するに際し、上部映像信号および下部映像信号の極性を２フレームごとに切替え、かつ、上部映像信号の極性を切替えるタイミングを下部映像信号の極性を切替えるタイミングに対して１フレーム分ずらす。
【００４５】
図６および図７は、本発明の液晶表示装置の駆動方法の実施の形態２を用いて駆動される液晶表示パネルの画素に関する配線の概念の一例を示す説明図である。図６および図７に示される液晶表示装置の構成要素は従来の液晶表示装置の構成要素と同一であり、図６および図７において、図１４および図１５と同一の箇所は同じ符号を用いて示す。図６（ａ）はｎフレームでの液晶表示装置を示す説明図であり、図６（ｂ）はｎ＋１フレームでの液晶表示装置を示す説明図である。さらに、図７（ａ）はｎ＋２フレームでの液晶表示装置を示す説明図であり、図７（ｂ）はｎ＋３フレームでの液晶表示装置を示す説明図である。
【００４６】
また、図８は、垂直同期信号変換回路の詳細な構成を示すブロック説明図であり、図９（ａ）〜（ｇ）は出力波形を示した説明図である。図８において、２２ｂおよび２２ｃはフリップフロップであり、２３ｂはＮＯＴゲートである。本実施の形態においては、図４に示した回路を変更し、図８に示した回路および出力波形を用いる。図８に示した回路は、各フレームにおいて１つ目の行を選択するに際し、上部映像信号および下部映像信号の極性を２フレームごとに切替え、かつ、上部映像信号の極性を切替えるタイミングを下部映像信号の極性を切替えるタイミングに対して１フレーム分ずらすことができる構成とした。したがって、微分回路２１に入力される垂直同期信号Ｓ1は図９の（ａ）に示されており、垂直同期信号Ｓ1は微分回路２１を経て図９の（ａ）にＶＤで示す１垂直周期のタイミング信号Ｓ2となる。つぎにこのタイミング信号Ｓ2はフリップフロップ２２ａを経て、図９の（ｃ）に示す波形の信号Ｓ3となったのち、第１極性反転信号ラインと第２極性反転信号ラインとに分けられ、それぞれ信号Ｓ4がフリップフロップ２２ｂを経て第１極性反転信号切替えタイミング信号Ｓ6（図９の（ｅ））がえられ、また信号Ｓ5がフリップフロップ２２ｃを経て第２極性反転信号切替えタイミング信号Ｓ7（図９の（ｇ））がえられる。
【００４７】
図１０および図１１は、図６および図７に示される液晶表示装置を駆動するために用いられる信号を示すタイミングチャートである。図１０および図１１において、図１６および図１７と同一の箇所は同じ符号を用いて示す。
【００４８】
図１０（ａ）には、上から、第１極性反転信号切替えタイミング信号と第２極性反転信号切替えタイミング信号とが示される。図１０（ｂ）には、上から、ｎフレームでの第１極性反転信号と第２極性反転信号とが示される。図１０（ｃ）には、上から、ｎ＋１フレームでの第１極性反転信号と第２極性反転信号とが示される。また、図１１（ａ）には、上から、ｎ＋２フレームでの第１極性反転信号と第２極性反転信号とが示される。図１１（ｂ）には、上から、ｎ＋３フレームでの第１極性反転信号と第２極性反転信号とが示される。
【００４９】
ｎフレームのとき、上部液晶駆動回路に入力される第１極性反転信号の極性は、下部液晶駆動回路に入力される第２極性反転信号の極性に対して逆極性になっている（図１０（ｂ）参照）。したがって、走査信号線１２に対して平行な方向において隣合う画素間で、画素に印加される映像信号（上部映像信号または下部映像信号）の極性が同じになるのは、１列目の画素と２列目の画素、および３列目の画素と４列目の画素である（図６（ａ）参照）。すなわち、２ｐ＋１列目の画素と２ｐ＋２列目の画素である。
【００５０】
さらに、ｎ＋１フレームのとき、上部液晶駆動回路に入力される第１極性反転信号の極性はｎフレームのときと同じであり、下部液晶駆動回路に入力される第２極性反転信号の極性はｎフレームのときとは逆極性である（図１０（ｃ）参照）。したがって、走査信号線１２に対して平行な方向において隣合う画素間で、画素に印加される映像信号（上部映像信号または下部映像信号）の極性が同じになるのは、２列目の画素と３列目の画素、および４列目の画素と５列目の画素である（図６（ｂ）参照）。すなわち、２ｐ＋２列目の画素と２ｐ＋３列目の画素であり、ｎフレームのときと異なる。
【００５１】
ｎ＋２フレームのときは、ｎフレームのときと同様に２ｐ＋１列目の画素と２ｐ＋２列目の画素とに同じ極性の映像信号が印加される（図７（ａ）参照）。ただし、ｎフレームで印加される映像信号の極性が正（または負）なっている画素は、ｎ＋２フレームで印加される映像信号の極性が負（または正）になる。
【００５２】
また、ｎ＋３フレームのときは、ｎ＋１フレームのときと同様に２ｐ＋２列目の画素と２ｐ＋３列目の画素とに同じ極性の映像信号が印加される（図７（ｂ）参照）。ただし、ｎ＋１フレームで印加される映像信号の極性が正（または負）なっている画素は、ｎ＋３フレームでは印加される映像信号の極性が負（または正）になる。
【００５３】
したがって、同じ極性の映像信号が印加される画素ごとにグループ分けを行い奇数フレームと偶数フレームとを比較すると、フレームによってグループを構成する画素が変化する。さらに、奇数フレーム（または偶数フレーム）同士を比較しても１つのグループに印加される映像信号の極性が変化している。その結果、時間的に、かつ、空間的に横方向の電界の平均化を行うことができ、横方向の電界による表示不良が視認されなくなり、表示品質を向上することができる。
【００５４】
【発明の効果】
本発明の請求項１記載の液晶表示装置の駆動方法は、行列配置された複数の画素のうち、走査信号回路から出力された走査信号によって選択した行を構成する複数の画素のうち、１つおきの画素に上部映像信号を印加し、残りの画素に下部映像信号をそれぞれ印加することにより所定の映像を表示する液晶表示装置の駆動方法であって、上部映像信号および下部映像信号の極性が１垂直周期ごとに逆極性になるばあいと、同極性になるばあいとが混在しているものであるので、時間的に、かつ、空間的に横方向の電界の平均化を行うことができ、横方向の電界による表示不良が視認されなくなり、表示品質を向上させることができる。
【００５６】
さらに、本発明の請求項２記載の液晶表示装置の駆動方法は、前記１つおきの画素が奇数番目の画素であり、前記残りの画素が偶数番目の画素であるので、映像信号の周波数を最高動作周波数以下に抑えることができる。
【００５７】
本発明の請求項３記載の液晶表示装置の駆動方法は、行列配置された複数の画素のうち、走査信号回路から出力された走査信号によって選択した行を構成する複数の画素のうち、１つおきの画素に上部映像信号を印加し、残りの画素に下部映像信号を印加することにより所定の映像を表示する液晶表示装置の駆動方法であって、各フレームにおいて１つ目の行を選択するに際し、上部映像信号および下部映像信号の極性を２フレームごとに切替え、かつ、上部映像信号の極性を切替えるタイミングを下部映像信号の極性を切替えるタイミングに対して１フレーム分ずらすものであるので、時間的に、かつ、空間的に横方向の電界の平均化を行うことができ、横方向の電界による表示不良が視認されなくなり、表示品質を向上することができる。
【００５９】
さらに、本発明の請求項４記載の液晶表示装置の駆動方法は、前記１つおきの画素が奇数番目の画素であり、前記残りの画素が偶数番目の画素であるので、映像信号の周波数を最高動作周波数以下に抑えることができる。
【００６０】
本発明の請求項５および６記載の液晶表示装置の駆動回路は、少なくとも上部映像信号を出力する上部液晶駆動回路、下部映像信号を出力する下部液晶駆動回路、走査信号回路、タイミング制御回路および垂直同期信号変換回路を含み、該垂直同期信号変換回路が第１極性反転信号切替えタイミング信号と第２極性反転信号切替えタイミング信号とを出力し、行列配置された複数の画素のうち、走査信号回路から出力された走査信号によって選択した行を構成する複数の画素のうち、１つおきの画素に上部映像信号を印加し、残りの画素に下部映像信号を印加することにより所定の映像を表示する液晶表示装置の駆動回路であって、ｎフレームのとき、前記上部液晶駆動回路に入力される第１極性反転信号の極性が、前記下部液晶駆動回路に入力される第２極性反転信号の極性に対して逆極性とされ、ｎ＋１フレームのとき、前記上部液晶駆動回路に入力される第１極性反転信号の極性が、前記下部液晶駆動回路に入力される第２極性反転信号の極性に対して同極性とされるように前記垂直同期信号変換回路によって前記第１極性反転信号切替えタイミング信号と第２極性反転信号切替えタイミング信号とが出力されるものであるので、時間的に、かつ、空間的に横方向の電界の平均化を行うことができ、横方向の電界による表示不良が視認されなくなり、表示品質を向上させた液晶表示装置をうることができる。
【図面の簡単な説明】
【図１】  本発明の液晶表示装置の駆動方法を用いて駆動される液晶表示パネルの画素に関する配線の概念の一例を示す説明図である。
【図２】  本発明の液晶表示装置の駆動方法の実施の形態１を用いて駆動される液晶表示パネルの画素に関する配線の概念の一例を示す説明図である。
【図３】  図２に示される液晶表示装置を駆動するために用いられる信号を示すタイミングチャートである。
【図４】  本発明の液晶表示装置の実施の形態１の垂直同期信号変換回路を示す説明図である。
【図５】  本発明の液晶表示装置の実施の形態１の信号波形を示す説明図である。
【図６】  本発明の液晶表示装置の駆動方法の実施の形態２を用いて駆動される液晶表示パネルの画素に関する配線の概念の一例を示す説明図である。
【図７】  本発明の液晶表示装置の駆動方法の実施の形態２を用いて駆動される液晶表示パネルの画素に関する配線の概念の一例を示す説明図である。
【図８】  本発明の液晶表示装置の実施の形態２の垂直同期信号変換回路を示す説明図である。
【図９】  本発明の液晶表示装置の実施の形態２の信号波形を示す説明図である。
【図１０】  図６および図７に示される液晶表示装置を駆動するために用いられる信号を示すタイミングチャートである。
【図１１】  図７に示される液晶表示装置を駆動するために用いられる信号を示すタイミングチャートである。
【図１２】  従来の液晶駆動回路の一例を示す説明図である。
【図１３】  極性反転信号、ならびに図１２に示される液晶駆動回路から出力される奇数出力および偶数出力の極性の一例を示す説明図である。
【図１４】  従来の液晶表示パネルの画素に関する配線の概念の一例を示す説明図である。
【図１５】  従来の液晶表示パネルの画素に関する配線の概念の一例を示す説明図である。
【図１６】  図１４および図１５に示される液晶表示装置を駆動するために用いられる信号を示すタイミングチャートである。
【図１７】  図１５に示される液晶表示装置を駆動するために用いられる信号を示すタイミングチャートである。
【符号の説明】
１ａ  上部液晶駆動回路、１ｂ  下部液晶駆動回路、２  走査信号回路、    ４  タイミング制御回路、５  垂直同期信号変換回路、２１  微分回路、      ２２ａ  フリップフロップ、２３ａ  ＮＯＴゲート。
【図１】
0003764285.tif 000002
【図２】
0003764285.tif 000003
【図３】
0003764285.tif 000004
【図４】
0003764285.tif 000005
【図５】
0003764285.tif 000006
【図６】
0003764285.tif 000007
【図７】
0003764285.tif 000008
【図８】
0003764285.tif 000009
【図９】
0003764285.tif 000010
【図１０】
0003764285.tif 000011
【図１１】
0003764285.tif 000012
【図１２】
0003764285.tif 000013
【図１３】
0003764285.tif 000014
【図１４】
0003764285.tif 000015
【図１５】
0003764285.tif 000016
【図１６】
0003764285.tif 000017
【図１７】
0003764285.tif 000018